(57)【要約】【課題】装飾目盛の立体感と鮮明な視認性を確保する。【解決手段】黒色以外の背景カラーＣｂに視認される表示面１１０にて表示カラーＣｄで主目盛１４を表示させる表示板１０と、表示面１１０よりも視認側にて装飾目盛２８を装飾カラーＣｏで表示させる装飾リング２０とを設ける。装飾リング２０は、外光反射により表示面１１０を装飾カラーＣｏで装飾する装飾面２３と、装飾面２３よりも凹んで設けられ、外光反射により装飾目盛２８を表示する目盛凹面２６と、装飾面２３と目盛凹面２６との間に傾斜して設けられ、表示面１１０からの光の反射により装飾面２３に対して目盛凹面２６を仕切る仕切像２９ａ，２９ｂ，２９ｃを表示する仕切傾斜面２７ａ，２７ｂ，２７ｃと、目盛凹面２６と表示面１１０との間に立設され、主目盛１４から仕切傾斜面２７ａ，２７ｂ，２７ｃへ向かう光を遮断する遮断立壁面２５０とを有する。【選択図】図４
2015169480.tif 000002
【特許請求の範囲】
【請求項１】
黒色以外の背景カラー（Ｃｂ）に視認される表示面（１１０）において、前記背景カラーとは異なる表示カラー（Ｃｄ）で表示目盛（１４，１５）を表示させる表示部材（１０）と、
前記表示面よりも視認側に配置され、前記表示目盛と同一の車両状態値を指示する装飾目盛（２８）を、前記背景カラー及び前記表示カラーとは異なる装飾カラー（Ｃｏ）で表示させる装飾部材（２０）とを、備え、
前記装飾部材は、
外光を前記視認側へ反射することにより、前記表示面を前記装飾カラーで装飾する装飾面（２３）と、
前記装飾面よりも凹んで設けられ、外光を前記視認側へ反射することにより、前記装飾目盛を表示する目盛凹面（２６）と、
前記装飾面と前記目盛凹面との間に傾斜して設けられ、前記表示面からの光を前記視認側へ反射することにより、前記装飾面に対して前記目盛凹面を仕切る仕切像（２９ａ，２９ｂ，２９ｃ）を表示する仕切傾斜面（２７ａ，２７ｂ，２７ｃ）と、
前記目盛凹面と前記表示面との間に立設され、前記表示目盛から前記仕切傾斜面へ向かう光を遮断する遮断立壁面（２５０）とを、有することを特徴とする車両用計器。
【請求項２】
前記目盛凹面の輪郭（２６０）は、前記遮断立壁面との境界箇所（２６０ｄ）を除いて、前記仕切傾斜面と接続され、
前記表示目盛は、前記境界箇所から離間して表示されることを特徴とする請求項１に記載の車両用計器。
【請求項３】
前記表示面よりも前記視認側において前記装飾部材を囲んで配置され、前記背景カラーの内面を形成する囲み部材（３０）を、備え、
前記仕切傾斜面は、前記表示面からの光と共に前記内面からの光を、前記視認側へ反射することを特徴とする請求項１又は２に記載の車両用計器。
【請求項４】
前記目盛凹面は、前記視認側のうち前記装飾面とは異なる方向に向けて設けられることを特徴とする請求項１〜３のいずれか一項に記載の車両用計器。
【請求項５】
前記装飾部材のうち少なくとも前記装飾面と前記目盛凹面と前記仕切傾斜面とは、メタル調の装飾カラーに塗装されることを特徴とする請求項１〜４のいずれか一項に記載の車両用計器。
【発明の詳細な説明】
【技術分野】
【０００１】
本発明は、装飾部材を備えた車両用計器に関する。
【背景技術】
【０００２】
従来、表示部材の表示面よりも視認側に装飾部材を配置することで、表示面を装飾するようにした計器は、車両用として広く用いられている。
【０００３】
こうした計器の一種である特許文献１の車両用計器では、黒色に視認される表示面において表示目盛を白色で表示させると共に、メタル調の装飾部材に傾斜して設けた傾斜面により当該表示目盛を反射させている。これにより、表示目盛が装飾部材の傾斜面に映ることで表示される装飾目盛は、表示目盛と同一の車両状態値を指示する目盛として、表示目盛に対しては屈曲した状態で立体的に視認されるようになっている。
【先行技術文献】
【特許文献】
【０００４】
【特許文献１】特開２００９−２６４９２５号公報
【発明の概要】
【発明が解決しようとする課題】
【０００５】
しかし、特許文献１の車両用計器では、装飾部材により表示させる装飾目盛を、表示目盛の虚像により形成しているので、立体感は得られるものの、車両状態値を指示する目盛に通常求められている鮮明な視認性という点では不十分であった。
【０００６】
本発明は、以上説明した問題に鑑みてなされたものであって、その目的は、表示部材の表示目盛と同一の車両状態値を指示する装飾部材の装飾目盛につき、立体感と鮮明な視認性とを確保する車両用計器を、提供することにある。
【課題を解決するための手段】
【０００７】
上述した課題を解決するために開示された発明は、黒色以外の背景カラー（Ｃｂ）に視認される表示面（１１０）において、背景カラーとは異なる表示カラー（Ｃｄ）で表示目盛（１４，１５）を表示させる表示部材（１０）と、表示面よりも視認側に配置され、表示目盛と同一の車両状態値を指示する装飾目盛（２８）を、背景カラー及び表示カラーとは異なる装飾カラー（Ｃｏ）で表示させる装飾部材（２０）とを、備え、装飾部材は、外光を視認側へ反射することにより、表示面を装飾カラーで装飾する装飾面（２３）と、装飾面よりも凹んで設けられ、外光を視認側へ反射することにより、装飾目盛を表示する目盛凹面（２６）と、装飾面と目盛凹面との間に傾斜して設けられ、表示面からの光を視認側へ反射することにより、装飾面に対して目盛凹面を仕切る仕切像（２９ａ，２９ｂ，２９ｃ）を表示する仕切傾斜面（２７ａ，２７ｂ，２７ｃ）と、目盛凹面と表示面との間に立設され、表示目盛から仕切傾斜面へ向かう光を遮断する遮断立壁面（２５０）とを、有することを特徴とする。
【０００８】
この発明の装飾部材によると、装飾面での外光反射により表示部材の表示面が装飾されると同時に、装飾面よりも凹む目盛凹面での外光反射により装飾目盛が表示される。これによれば、視認側から見て、装飾面を基準とした奥行きを装飾目盛に与え得る。さらに装飾部材によると、装飾面及び目盛凹面間にて傾斜した仕切傾斜面により表示面からの光が反射されることで、仕切像が表示される。このとき、装飾部材において目盛凹面及び表示面間に立設の遮断立壁面によれば、黒色以外の背景カラーに視認される表示面のうち、当該背景カラーとは異なる表示カラーの表示目盛から仕切傾斜面へ向かう光は遮断される。これにより仕切像は、装飾面及び目盛凹面の装飾カラーとは異なる背景カラーの像として、目盛凹面を装飾面に対して仕切る状態に視認されることで、当該目盛凹面の表示する装飾目盛との間にコントラストを与え得る。以上のことから、表示部材の表示目盛と同一の車両状態値を指示する装飾部材の装飾目盛につき、奥行きによる立体感と、コントラストによる鮮明な視認性とを確保可能になる。
【０００９】
また、開示された別の発明において目盛凹面の輪郭（２６０）は、遮断立壁面との境界箇所（２６０ｄ）を除いて、仕切傾斜面と接続され、表示目盛は、境界箇所から離間して表示される。
【００１０】
この発明において目盛凹面の輪郭は、遮断立壁面との境界箇所から離間した表示目盛との間の表示面と、当該境界箇所を除いて接続された仕切傾斜面の表示する仕切像とにより、取り囲まれる。これによれば、背景カラーの表示面及び仕切像と、装飾カラーの装飾目盛との間に生じるコントラストを、目盛凹面の輪郭全域に沿って与え得るので、装飾目盛の視認性に関する鮮明度を高めることが可能となる。
【図面の簡単な説明】
【００１１】
【図１】一実施形態による車両用計器を示す正面図である。
【図２】図１のII−II線断面図である。
【図３】一実施形態による車両用計器に設定される色について説明するための模式図である。
【図４】一実施形態による車両用計器の拡大正面図である。
【図５】一実施形態による車両用計器の拡大斜視図である。
【図６】図４の変形例を示す拡大正面図である。
【図７】図４の変形例を示す拡大正面図である。
【発明を実施するための形態】
【００１２】
以下、本発明の一実施形態を図面に基づいて説明する。
【００１３】
図１に示すように、本発明の一実施形態による車両用計器１は、車両内のインストルメントパネルに設置されるコンビネーションメータである。尚、計器１における「視認側」とは、車両内において運転席上の視認者により計器１の表示情報が視認される側を意味している。そこで、計器１における「反視認側」とは、かかる「視認側」とは反対側を意味するものとする。
【００１４】
図１，２に示すように計器１は、表示板１０、装飾リング２０、見返し板３０、指針４０、駆動源５０、光源６０及び制御回路７０を備えている。
【００１５】
「表示部材」としての表示板１０は、ポリカーボネート樹脂等の透光性基材１１に透光性印刷層１２及び遮光性印刷層１３を積層してなり、全体として矩形平板状を呈している。表示板１０において透光性基材１１の一方の板面は、視認側の表示面１１０として、運転席に向けて配置される。それと共に表示板１０では、透明な透光性基材１１の反視認側において背景カラーＣｂ（図３参照）としての青色の遮光性印刷層１３が部分的に開口すると共に、当該開口部分に表示カラーＣｄ（図３参照）としての白色の透光性印刷層１２が形成されている。こうした構成により表示板１０は、図３に示すように、黒色以外の背景カラーＣｂに視認される表示面１１０を背景として、目盛１４，１５及び数字１６等の指標を当該背景カラーＣｂとは異なる表示カラーＣｄで表示する。
【００１６】
ここで図１に示すように、「表示目盛」としての主目盛１４は、円周方向に所定間隔ずつをあけて、複数設けられている。副目盛１５は、各主目盛１４間に複数ずつ、円周方向に並べて設けられている。数字１６は、各主目盛１４の径方向内側にそれぞれ離間して、複数設けられている。これら目盛１４，１５及び数字１６は、特定の車両状態値、本実施形態では車両の走行速度を指示する。尚、目盛１４，１５及び数字１６により指示する車両状態値については、走行速度以外にも、例えばエンジン回転数や、水温、燃料残量等、車両に関する各種物理量であっても勿論よい。
【００１７】
図２，４，５に示すように、「装飾部材」としての装飾リング２０は、ＡＢＳ樹脂等の遮光性基材２１に装飾反射層２２を積層してなり、全体として円環状を呈している。装飾リング２０において装飾反射層２２は、遮光性基材２１に対してメタル調の遮光性塗装を施すことで、装飾カラーＣｏ（図３参照）としての銀色に着色されている。装飾リング２０は、表示面１１０よりも視認側に配置された状態で、表示板１０に固定されている。装飾リング２０は、表示面１１０に表示される目盛１４，１５及び数字１６を、内周側に露出させている（図１参照）。装飾リング２０は、装飾面２３、外周壁面２４、内周壁面２５、目盛凹面２６及び仕切傾斜面２７ａ，２７ｂ，２７ｃを、装飾反射層２２により形成している。
【００１８】
装飾面２３は、視認側となる運転席に向けて配置される。装飾面２３は、表示面１１０に対して傾斜するテーパ面状に設けられ、径方向外側ほど視認側へ突出している。装飾面２３は、外光を視認側へ反射することで、図３に示すように背景カラーＣｂ及び表示カラーＣｄとは異なる装飾カラーＣｏの装飾を、表示面１１０に対して与えている。
【００１９】
図２，４，５に示すように外周壁面２４は、装飾面２３のうち外周輪郭２３０に沿って円筒状に設けられることで、装飾面２３と表示面１１０との間を同面１１０に対して実質垂直に接続している。内周壁面２５は、装飾面２３のうち内周輪郭２３１に沿って円筒状に設けられることで、装飾面２３と表示面１１０との間を同面１１０に対して実質垂直に接続している。
【００２０】
目盛凹面２６は、各主目盛１４の径方向外側にそれぞれ離間して、複数設けられている。各目盛凹面２６は、装飾面２３よりも反視認側に凹んで設けられている。各目盛凹面２６は、表示面１１０に対して傾斜する矩形面状に設けられ、径方向外側ほど視認側へ突出している。ここで図２に示すように、表示面１１０に対する各目盛凹面２６の傾斜角度αは、同面１１０に対する装飾面２３の傾斜角度βと異ならされている。これにより各目盛凹面２６は、視認側のうち装飾面２３とは異なる方向に向けられている。各目盛凹面２６は、外光を視認側へ反射することで、図３に示すように背景カラーＣｂ及び表示カラーＣｄとは異なる装飾カラーＣｏで、図１，４に示すように装飾目盛２８を表示する。こうして各目盛凹面２６により表示される装飾目盛２８は、それぞれ径方向内側の主目盛１４と同一の車両状態値（本実施形態では車両の走行速度）を指示する。
【００２１】
図２，４，５に示すように、各目盛凹面２６の輪郭２６０をなす四辺のうち一辺２６０ｄは、装飾リング２０の内周壁面２５に接続されている。これにより、内周壁面２５のうち各目盛凹面２６の一辺２６０ｄから反視認側の表示面１１０まで跨る部分は、各目盛凹面２６と表示面１１０との間に立設される遮断立壁面２５０として、後に詳述の如く機能する。また、各目盛凹面２６において遮断立壁面２５０との「境界箇所」である一辺２６０ｄは、表示面１１０に表示される主目盛１４から径方向外側に離間している。
【００２２】
三種類の仕切傾斜面２７ａ，２７ｂ，２７ｃは、各目盛凹面２６と装飾面２３との間にそれぞれ一つずつ、設けられている。仕切傾斜面２７ａ，２７ｂ，２７ｃは、各目盛凹面２６の輪郭２６０をなす四辺のうち一辺２６０ｄを除いた三辺２６０ａ，２６０ｂ，２６０ｃのいずれかから、装飾面２３まで跨っている。ここで、目盛凹面２６の径方向外側の一辺２６０ａと接続される仕切傾斜面２７ａは、表示面１１０に対して傾斜する台形面状に設けられ、当該接続先の目盛凹面２６から径方向外側に離れるほど視認側へ突出している。また一方、目盛凹面２６を円周方向に挟む両側の二辺２６０ｂ，２６０ｃとそれぞれ接続される仕切傾斜面２７ｂ，２７ｃは、表示面１１０に対して傾斜する台形面状に設けられ、当該接続先の目盛凹面２６から円周方向に離れるほど視認側へ突出している。
【００２３】
図２，５に示すように、これら各仕切傾斜面２７ａ，２７ｂ，２７ｃの表示面１１０に対する傾斜角度γａ，γｂ，γｃは、各目盛凹面２６の傾斜角度α及び装飾面２３の傾斜角度βよりも大きい範囲で、それぞれ適値に設定されている。これにより各仕切傾斜面２７ａ，２７ｂ，２７ｃは、表示面１１０からの光を視認側へ反射することで、図４に示すように、接続先の目盛凹面２６を装飾面２３に対して仕切る仕切像２９ａ，２９ｂ，２９ｃをそれぞれ表示する。このとき、表示面１１０のうち各主目盛１４及び各数字１６から、それぞれ径方向外側の目盛凹面２６周囲の仕切傾斜面２７ａ，２７ｂ，２７ｃへ向かう光は、遮断立壁面２５０により遮断されるようになっている。それと共に本実施形態では、各主目盛１４間の副目盛１５から各仕切傾斜面２７ａ，２７ｂ，２７ｃへ向かう光は、遮断立壁面２５０を含む内周壁面２５により遮断されるようになっている。こうした遮断機能により各仕切傾斜面２７ａ，２７ｂ，２７ｃでは、図３に示すように、表示面１１０のうち目盛１４，１５及び数字１６以外の部分から届く光の背景カラーＣｂにて、仕切像２９ａ，２９ｂ，２９ｃがそれぞれ表示される。
【００２４】
図１，２に示すように、「囲み部材」としての見返し板３０は、ＡＢＳ樹脂等により遮光性の矩形枠状に形成されている。見返し板３０は、表示板１０の外周輪郭に沿って設けられることで、表示面１１０よりも視認側にて装飾リング２０を外周側から囲んでいる。見返し板３０の内面３００は、表示板１０の遮光性印刷層１３と実質同一となる背景カラーＣｂとしての青色に、着色されている。ここで各仕切傾斜面２７ａ，２７ｂ，２７ｃは、表示面１１０からの光と共に、見返し板３０の内面３００からの光も視認側へ反射することで、図３に示すように、それぞれ背景カラーＣｂの仕切像２９ａ，２９ｂ，２９ｃを形成可能となっている。
【００２５】
図１，２に示すように指針４０は、アクリル樹脂等により透光性の細長針状に形成されている。指針４０は、表示面１１０よりも視認側において円周方向に正逆回転可能に、設けられている。指針４０は、目盛１４，１５及び数字１６のうち回転位置に応じた指標に重畳することで、当該重畳先の指標が指示する車両状態値を報知する。
【００２６】
図２に示すように駆動源５０は、ステッピングモータ又は交差コイル式回転機等の電動アクチュエータであり、表示板１０の反視認側に配置されている。駆動源５０は、表示板１０を貫通して指針４０と接続される回転軸５１を、有している。駆動源５０は、通電に従って回転軸５１を指針４０と共に回転駆動する。
【００２７】
光源６０は、ＬＥＤ等の発光源であり、表示板１０の反視認側に複数配置されている。各光源６０は、通電に従って白色の光を発することで、視認側の目盛１４，１５及び数字１６と指針４０とを透過照明する。これにより、透過照明された目盛１４，１５及び数字１６と指針４０とが発光することになる。
【００２８】
制御回路７０は、マイクロコンピュータ等の電子回路であり、表示板１０の反視認側に配置されている。制御回路７０は、駆動源５０及び各光源６０と電気的に接続されていると共に、車両の各種センサ及び各種制御回路と通信可能に接続されている。制御回路７０は、車両のセンサ乃至は制御回路から受信した信号に基づき、駆動源５０及び各光源６０への通電を制御する。
【００２９】
（作用効果）
以上説明した計器１の作用効果を、以下に説明する。
【００３０】
装飾リング２０によると、装飾面２３での外光反射により表示板１０の表示面１１０が装飾されると同時に、装飾面２３よりも凹む目盛凹面２６での外光反射により装飾目盛２８が表示される。これによれば、視認側から見て、装飾面２３を基準とした奥行きを装飾目盛２８に与え得る。さらに装飾リング２０によると、装飾面２３及び目盛凹面２６間にて傾斜した仕切傾斜面２７ａ，２７ｂ，２７ｃにより表示面１１０からの光が反射されることで、仕切像２９ａ，２９ｂ，２９ｃが表示される。このとき、装飾リング２０において目盛凹面２６及び表示面１１０間に立設の遮断立壁面２５０によれば、黒色以外の背景カラーＣｂに視認される表示面１１０のうち、当該背景カラーＣｂとは異なる表示カラーＣｄの主目盛１４から仕切傾斜面２７ａ，２７ｂ，２７ｃへ向かう光は遮断される。これにより仕切像２９ａ，２９ｂ，２９ｃは、面２３，２６の装飾カラーＣｏとは異なる背景カラーＣｂの像として、目盛凹面２６を装飾面２３に対して仕切る状態に視認されることで、当該凹面２６の表示する装飾目盛２８との間にコントラストを与え得る。
【００３１】
以上のことから、表示板１０の主目盛１４と同一の車両状態値を指示する装飾リング２０の装飾目盛２８につき、奥行きによる立体感と、コントラストによる鮮明な視認性とを確保可能になる。ここで特に本実施形態では、少なくとも装飾面２３と目盛凹面２６と仕切傾斜面２７ａ，２７ｂ，２７ｃとをメタル調の装飾カラーに塗装するという、比較的簡単な装飾リング２０の製造方法によっても、装飾目盛２８の立体感と鮮明な視認性とを確保可能である。
【００３２】
また、目盛凹面２６の輪郭２６０は、遮断立壁面２５０との「境界箇所」から離間した主目盛１４との間の表示面１１０と、当該箇所を除いて接続された仕切傾斜面２７ａ，２７ｂ，２７ｃの表示する仕切像２９ａ，２９ｂ，２９ｃとにより、取り囲まれる。これによれば、背景カラーＣｂの表示面１１０及び仕切像２９ａ，２９ｂ，２９ｃと、装飾カラーＣｏの装飾目盛２８との間に生じるコントラストを、目盛凹面２６の輪郭２６０全域に沿って与え得るので、装飾目盛２８の視認性に関する鮮明度を高めることが可能となる。
【００３３】
さらに仕切傾斜面２７ａ，２７ｂ，２７ｃは、表示面１１０からだけでなく、同面１１０よりも視認側にて装飾リング２０を囲む見返し板３０の背景カラーＣｂの内面３００からも、光を受けて反射する。これにより仕切像２９ａ，２９ｂ，２９ｃは、表示面１１０及び内面３００からの光の背景カラーＣｂにて、確実に表示され得る。故に、背景カラーＣｂの仕切像２９ａ，２９ｂ，２９ｃに対して装飾カラーＣｏの装飾目盛２８のコントラストを際立たせて、装飾目盛２８の視認性に関する鮮明度を高めることが可能となる。
【００３４】
またさらに目盛凹面２６は、視認側のうち装飾面２３とは異なる方向を向くことで、装飾面２３と同じ装飾カラーＣｏによる装飾目盛２８の表示であっても、装飾面２３とは異なる見え方を与えることが可能となる。
【００３５】
（他の実施形態）
以上、本発明の一実施形態について説明したが、本発明は、当該実施形態に限定して解釈されるものではなく、本発明の要旨を逸脱しない範囲内において種々の実施形態に適用することができる。
【００３６】
具体的に変形例１では、青色とは異なる黒色以外の色を、背景カラーＣｂとして採用してもよい。また、変形例２では、背景カラーＣｂとは異なる白色以外の色を、表示カラーＣｄとして採用してもよい。さらにまた、変形例３では、背景カラーＣｂ及び表示カラーＣｄとは異なる銀色以外の色を、装飾カラーＣｏとして採用してもよい。
【００３７】
変形例４では、図６に示すように、各目盛凹面２６において遮断立壁面２５０との「境界箇所」である一辺２６０ｄに対して、主目盛１４が径方向に隣接するように表示面１１０にて表示させてもよい。また、変形例５では、図７に示すように、表示面１１０に対して実質垂直な面を、仕切傾斜面２７ａに代えて、あるいは仕切傾斜面２７ｂ，２７ｃに代えて、設けてもよい。尚、図７は、表示面１１０に対する実質垂直面１０２７ｂ，１０２７ｃを、仕切傾斜面２７ｂ，２７ｃに代えて設けた例につき、示している。
【００３８】
変形例６では、見返し板３０の内面３００からの光が仕切傾斜面２７ａ，２７ｂ，２７ｃにより反射しない構成を、採用してもよい。また、変形例７では、見返し板３０を設けなくてもよい。
【００３９】
変形例８では、目盛凹面２６の傾斜角度αを装飾面２３の傾斜角度βと実質等しくすることで、それら面２６，２３を視認側の同一方向に向けさせてもよい。また、変形例９では、目盛凹面２６及び装飾面２３のいずれも表示面１１０に対して実質平行に設けることで、それら面２６，２３を視認側の同一方向に向けさせてもよい。さらにまた、変形例１０では、目盛凹面２６と装飾面２３とのうち少なくとも一方を径方向内側ほど視認側へ突出するように傾斜させることで、それら面２６，２３を視認側の相異方向又は同一方向に向けさせてもよい。
【００４０】
変形例１１では、アルミニウム乃至はクロム等のめっきにより、装飾反射層２２を形成してもよい。また、変形例１２では、目盛凹面２６及び装飾面２３を形成する装飾カラーＣｏの装飾反射層２２と異なる反射層により、仕切傾斜面２７ａ，２７ｂ，２７ｃを形成してもよい。さらにまた、変形例１３では、遮断立壁面２５０を含む内周壁面２５と、外周壁面２４とのうち少なくとも一方を、遮光性基材２１により形成してもよい。
【００４１】
変形例１４では、表示カラーＣｄ（例えば白色）の透光性印刷層１２を設ける代わりに、光源６０からの表示カラーＣｄ（例えば白色）の光を拡散する拡散印刷層を設けて、目盛１４，１５及び数字１６を同カラーＣｄで表示させてもよい。また、変形例１５では、透光性印刷層１２及び遮光性印刷層１３を透光性基材１１の視認側に積層して、それら印刷層１２，１３により表示面１１０を形成してもよい。
【００４２】
変形例１６では、「表示目盛」としての各主目盛１４及び「表示目盛」としての各副目盛１５の径方向外側に、装飾面２３と目盛凹面２６と仕切傾斜面２７ａ，２７ｂ，２７ｃとの組をそれぞれ個別に設けてもよい。また、変形例１７では、「表示目盛」としての各副目盛１５の径方向外側に、装飾面２３と目盛凹面２６と仕切傾斜面２７ａ，２７ｂ，２７ｃとの組をそれぞれ個別に設けて、各主目盛１４の径方向外側には当該組を設けない構成を、採用してもよい。
【符号の説明】
【００４３】
１  車両用計器、２  車両、１０  表示板、１４  主目盛、２０  装飾リング、２３  装飾面、２６  目盛凹面、２７ａ，２７ｂ，２７ｃ  仕切傾斜面、２８  装飾目盛、２９ａ，２９ｂ，２９ｃ  仕切像、３０  見返し板、１１０  表示面、２６０  輪郭、２６０ａ，２６０ｂ，２６０ｃ，２６０ｄ  辺、３００  内面、Ｃｂ  背景カラー、Ｃｏ  装飾カラー、Ｃｄ  表示カラー、α，β，γａ，γｂ，γｃ  傾斜角度
【図１】
2015169480.tif 000003
【図２】
2015169480.tif 000004
【図３】
2015169480.tif 000005
【図４】
2015169480.tif 000006
【図５】
2015169480.tif 000007
【図６】
2015169480.tif 000008
【図７】
2015169480.tif 000009